(57)【要約】【課題】天井に取付けられる取付け枠に灯具本体が収納される照明器具において、灯具本体が取付け枠から外れ難く、かつ取付け易いものとなり、施工性や操作性が高まり、しかも灯具本体が衝撃で落下することを防止する。【解決手段】天井に埋め込み等で使用される角型の取付け枠７は、相対向する辺に相対向して灯具本体５を取付け可能な被取付け部Ａを有し、丸型の灯具本体５は、取付け枠７の対角方向において通過可能とされ、被取付け部Ａに乗せ掛けられる取付け部８を有する。これにより、灯具本体５の取付け枠７への係合に取付け枠自体を利用するので、灯具本体５の外形を大きくすることができ、灯具本体の取付け、取外しが容易となり、しかも灯具本体５が落下することがなくなる。【選択図】図６
2006019107.tif 000002
【特許請求の範囲】
【請求項１】
天井に直付け、吊り下げ、又は埋め込んで使用される角型の取付け枠と、前記取付け枠の内側に着脱自在に取付け可能な下面視外形が円形の灯具本体から成る照明器具において、
前記取付け枠は、相対向する辺に相対向して前記灯具本体を取付け可能な被取付け部を有し、
前記灯具本体は、前記取付け枠の対角方向において通過可能とされ、前記被取付け部に乗せ掛けられる取付け部を有することを特徴とする照明器具。
【請求項２】
前記取付け枠の被取付け部は、相対向する長手方向の辺に間隔をおいて複数設けられ、これら被取付け部に複数個の灯具本体が各々取付けられることを特徴とする請求項１記載の照明器具。
【請求項３】
前記灯具本体の電源線は、前記取付け枠の長手方向に直交する方向を引き出し方向とすることを特徴とする請求項２記載の照明器具。
【請求項４】
前記取付け枠の被取付け部は、上端に前記灯具本体の取付け部が乗せ掛けられ係合する壁体と、乗せ掛けられた灯具本体の抜け止めを図る該壁体に設けられた凹部とから成り、
前記灯具本体の取付け部は、前記壁体に乗せ掛けられる乗せ掛け部と、前記凹部に係合される抜け止め部を有したことを特徴とする請求項１乃至請求項３のいずれかに記載の照明器具。
【請求項５】
前記被取付け部の壁体は、前記灯具本体の乗せ掛けを誘うガイド壁、及び同灯具本体の位置ずれを防止する位置ずれ防止壁を有したことを特徴とする請求項４記載の照明器具。
【発明の詳細な説明】
【技術分野】
【０００１】
本発明は、店舗や通路など一般屋内の天井面に直付け、吊り下げ、又は埋め込みで取付け使用される照明器具に関する。
【背景技術】
【０００２】
従来から、埋め込み型、直付け型又は吊り下げ型の照明器具において、灯具取付け枠と灯具本体とが分離されていて、天井に設けられた天井埋込灯取付け用穴に、照明器具の灯具取付け枠を取付けた後に、この灯具取付け枠に灯具本体ユニツトを交換自在に取付ける照明器具が知られている（例えば、特許文献１参照）。
【０００３】
従来のこの種の照明器具においては、取付け枠内面に設けられた凸又は凹状の被係止部と、灯具本体に設けられた凹又は凸状でバネ性を有する係止部とが係合することにより固定される構成が多く採用されている。また、これとは反対に、取付け枠側がバネ性の係止部となっている構成もある。どちらの構成においても、灯具を下方から押し上げることで、被係止部がバネ材の係止部に当り、バネ材を圧縮又は拡張することで、凸部と凹部とがはまりあって固定される仕組みになっている。
【０００４】
この種の照明器具における取付け枠と灯具本体との取付け構成（係合部という）を図７、図８に示す。いずれも長方形の取付け枠１０１に複数（この例では３個）の灯具本体１０５が長手方向に並んで取付けられている。図７では取付け枠１０１の被取付け部Ｂがバネ体であり、各灯具本体１０５の配置区画の対角位置に相対向して設けられている。図８では被取付け部Ｃが取付け枠１０１の長手方向中央位置に相対向して設けられている。図８における灯具本体１０５の取付け部１０８はバネ体で構成され、隣り合う灯具本体１０５間の被取付け部Ｃは仕切り部材１０２の両面に設けられる。
【特許文献１】登録新案３０６６８３４号公報
【発明の開示】
【発明が解決しようとする課題】
【０００５】
ところで、上記のように、複数の灯具本体が取付け枠に対して収納される場合、取付け枠の外形が角形の長方形となるが、図７に示したように係合部を対角位置に設けると、灯具の照射方向を設定する際の操作が複雑になる問題がある。また、図８に示したように係合部を長手方向側に設けると、灯具間に係合部を設けるための仕切り部材１０２が必要となり、また、灯具本体の照射方向を可変な照明器具の場合、灯具間のピッチを広くすることで、より斜方向への照射が可能となるが、仕切り部材１０２の配置変更がその都度必要となる。
【０００６】
また、灯具本体を押上げ、取付け枠に収納し、固定する方式では、枠内側又は灯具外面のバネ体の変形により、灯具重量を支えることになり、地震時の上下方向の衝撃的な荷重や、屋内ドアの開閉による天井材への衝撃により、バネ体が変形し、落下の原因となる恐れがある。これら衝撃による落下を防止するためには、バネ体の強度を上げることも考えられるが、バネ体の強度を上げることは、一方で施工時の灯具本体取付けの強度にも影響を及ぼす。かくして、外れ難いバネ体の強度と取付け易いバネ体の強度とを両立させることは極めて困難な設計となる。そして、バネ体の強度を上げることで外れ難くなるが、店舗内のレイアウト変更などで照明器具を外すときの引き下げ力により、取付け面の変形が生じて、取付け枠と天井材との間に隙間が生じるといった虞がある。
【０００７】
さらには、バネ体とそれに係合する凸部又は凹部は、バネ体の変形量に伴う空間を要し、取付け枠の内径寸法に対して、灯具外形寸法に制約が生じてしまう。そのため、灯具の空間利用効率が低下し、熱的な問題により、高出力の照明器具を収納することが困難となる。また、複数の灯具本体が連続的に取付け枠内に設置される場合、灯具から引き出される電源線は、灯具間で干渉する恐れがあり、特に、灯具本体が照射方向を自在に変更できる器具においては、灯具間の電源線の干渉により、任意の方向へ照射ができなくなることもある。
【０００８】
本発明は、上記のような問題を解消するものであり、天井に取付けられる取付け枠に灯具本体が収納される構成にあって、灯具本体が取付け枠から外れ難く、かつ取付け易い設計とすることが容易で、施工性や操作性が高まり、灯具本体が衝撃で落下することも防止でき、また、取付け枠に対して灯具寸法を大きくでき空間利用効率の良い照明器具を提供することを目的とする。
【課題を解決するための手段】
【０００９】
上記課題を解消するために、請求項１の発明は、天井に直付け、吊り下げ、又は埋め込んで使用される角型の取付け枠と、前記取付け枠の内側に着脱自在に取付け可能な下面視外形が円形の灯具本体から成る照明器具において、前記取付け枠は、相対向する辺に相対向して前記灯具本体を取付け可能な被取付け部を有し、前記灯具本体は、前記取付け枠の対角方向において通過可能とされ、前記被取付け部に乗せ掛けられる取付け部を有するものである。
【００１０】
請求項２の発明は、請求項１記載の照明器具において、取付け枠の被取付け部は、相対向する長手方向の辺に間隔をおいて複数設けられ、これら被取付け部に複数個の灯具本体が各々取付けられるものである。
【００１１】
請求項３の発明は、請求項２記載の照明器具において、灯具本体の電源線は、取付け枠の長手方向に直交する方向を引き出し方向とするものである。
【００１２】
請求項４の発明は、請求項１乃至請求項３のいずれかに記載の照明器具において、取付け枠の被取付け部は、上端に前記灯具本体の取付け部が乗せ掛けられ係合する壁体と、乗せ掛けられた灯具本体の抜け止めを図る該壁体に設けられた凹部とから成り、灯具本体の取付け部は、壁体に乗せ掛けられる乗せ掛け部と、凹部に係合される抜け止め部を有したものである。
【００１３】
請求項５の発明は、請求項４記載の照明器具において、被取付け部の壁体は、灯具本体の乗せ掛けを誘うガイド壁、及び同灯具本体の位置ずれを防止する位置ずれ防止壁を有したものである。
【発明の効果】
【００１４】
請求項１の発明によれば、灯具本体を取付け枠の被取付け部に乗せ掛けるようにしており、灯具本体の係合に取付け枠自体を利用するので、従来のように取付け枠内側に灯具本体の係合部を設ける必要がなくなり、灯具本体の外形を大きくすることができ、器具設計の制約が緩和されるとともに、灯具本体の取付け、取外しが容易であり、しかも器具へ衝撃が与えられた場合でも灯具本体が落下することがなくなる。
【００１５】
請求項２の発明によれば、取付け枠の相対向する長手方向の辺に被取付け部が間隔をおいて複数設けられるので、連続的に複数並ぶ灯具本体間に被取付け部を配置しなくてすみ、灯具間隔の設計に自由度が増し、灯具本体が照射方向を変化させることができる器具においては、照射方向の範囲を広げることが可能となる。また、取付け枠内面の短辺方向の寸法と灯具本体外形寸法を略同寸法にすることができるため、灯具の空間利用効率が高まる。
【００１６】
請求項３の発明によれば、器具の高さを押さえることができるとともに、灯具間の干渉が少なくなり、操作性が向上する。
【００１７】
請求項４の発明によれば、灯具本体の取付け部の乗せ掛け部が被取付け部の壁体に乗せ掛けられ、抜け止め部が壁体の凹部に係合されるので、抜け止め部の係合後は灯具本体の上方への引き上げ力は大きくなり、灯具本体の外れを防止することができる。
【００１８】
請求項５の発明によれば、灯具本体の被取付け部への取付け操作は容易となる。
【発明を実施するための最良の形態】
【００１９】
以下、本発明の一実施形態に係る照明器具について図面を参照して説明する。図１（ａ）（ｂ）（ｃ）及び図２は、照明器具の全体構成を示し、図３は灯具本体単体を示す。この照明器具は、店舗、博物館、美術館などに用いられ、商品や展示品を照射する埋め込みタイプのダウンライトであり、角型長方形状の枠部材１の内側に、下面視外形が円形の灯具本体５を一列に３台着脱自在に収納しており、各灯具本体５は回転自在で照射方向を変化させることが可能とされている。灯具本体５は、このように複数台が連続的に配置される構成の他に、１台のみが収納される構成や、縦横に２×２台が収納される構成もあり、灯具本体５の台数と配置に応じて枠部材１の形状は異なる。
【００２０】
枠部材１は、天井等の造営材４と接触する、例えばアルミ押出し材で形成された取付け枠７と、この取付け枠７を四方で保持するフレーム２及び天板３から構成され、取付け枠７には灯具本体５を取付けることができる被取付け部Ａを有する。被取付け部Ａは、取付け枠７の相対向する長手方向の辺（長辺）に略等ピッチの間隔をおいて連続的に複数設けられる。枠部１は、造営材４に設けられた取付け穴に嵌め込まれ、取付けバネ６により保持された埋め込みタイプを示すが、その他に吊り下げタイプや直付けタイプがある。
【００２１】
灯具本体５は、メタルハライドランプやハロゲンランプなどの光源を有し、ランプの大きさによって灯具本体５の外形が異なる。本例は、メタルハライドランプを用いた灯具を示す。灯具本体５は、回転保持のための回転リング５８を有し、この回転リング５８の外形が取付け枠７の短辺長（図示の「取付方向」）と略同等であり、回転リング５８の外面対面に取付け部８を備えている。取付け部８は、板状のバネ材から構成され、灯具本体５を照射方向可変に回転保持するネジ軸９により回転リング５８に結合されている。なお、灯具本体５は、本体部材５１、前面枠５２、反射鏡５３、光源５４、ソケット５５、カバー５６及び電源線５７から構成されている。
【００２２】
また、図２、図３に示した灯具本体５の電源線５７は、取付け枠７の長手方向に直交する方向（取付方向）を引き出し方向とする。これにより、枠部材１の天板３の位置を低くすることができ、また、多灯使用時に電源線の干渉が少なくなる。なお、図１（ａ）に示しているように、灯具本体５は、ネジ軸９の回りに任意の角度姿勢に保持させることが可能で、所望の照射方向を設定できる。
【００２３】
図４は取付け枠７の被取付け部Ａを示し、図５は灯具本体５の取付け部８を示す。被取付け部Ａは、上端に灯具本体５の取付け部８が乗せ掛けられる切り欠きが設けられた壁体７１と、乗せ掛けられた灯具本体５の抜け止めを図る壁体７１に設けられた凹部７４とから成る。壁体７１の切り欠きは、灯具本体５の乗せ掛けを誘う長辺方向両サイドがテーパ状に開いたガイド壁７２と、乗せ掛けられた取付け部８が嵌り込む位置ずれ防止壁７３とを有している。
【００２４】
取付け部８は、略Ｕ字状の板バネから成り、内側（灯具側）片８１と外側片８２との間に形成された、壁体７１に乗せ掛けられる乗せ掛け部８３と、外側片８２の下端にあって壁体７１の凹部７４に係合される突起部８４及び抜け止めバネ部８５から成る抜け止め部８６とを有している。内側片８１には、取付け部８を灯具本体５に取付けるためのネジ軸９が挿通する孔８７が設けられ、外側片８２には、灯具本体５単体の状態でネジ軸９を締め付け作業するための開口８８が設けられている。なお、位置ずれ防止壁７３の幅寸法は、取付け部８の幅寸法と同等又は若干大き目としている。位置ずれ防止壁７３の高さ寸法は、取付け部８の突起部８４が凹部７４に係合した状態での遊び寸法よりも長くしている。
【００２５】
図６は灯具本体５の取付け部８を被取付け部Ａに取付ける状態を示している。灯具本体５は、取付け枠７の対角方向（図１（ｃ）の長辺方向と取付方向に対して４５度の方向）において上下方向に通過可能とされ、灯具本体５を取付け枠７内で上方（矢印Ｄ１方向）に挿入した後、灯具本体５を４５度回転させる（矢印Ｄ２方向）ことで、灯具本体５に設けた取付け部８を取付け枠７の被取付け部Ａの上方に位置させる。その状態から、灯具本体５を下方（矢印Ｄ３方向）に移動させることで、取付け部８の乗せ掛け部８３が壁体７１のガイド壁７２に案内されつつ、位置ずれ防止壁７３内に嵌り込む。このとき、取付け部８の突起部８４及び抜け止めバネ部８５が壁体７１の凹部７４に係合される。もって、取付け部８は被取付け部Ａの壁体７１上に乗せ掛けられると共に、抜け止めバネ部８５の剛性により外れ難いものとなり、灯具本体５が容易には落下しないものとなる。
【００２６】
本実施形態の照明器具においては、灯具本体５の取付け部８が係合する被取付け部Ａを、枠部材１の取付け枠７の長辺方向に直交する方向（上述の取付方向）に設けていることで、従来のように灯具間に係合部がなくなるので、角型の枠部材１（取付け枠７）に対して、最大外径の丸型の灯具本体５を収納することが可能で、かつ器具設計の制約が緩和され、さらには、長手方向の照射範囲が広いものとなる。
【００２７】
本発明は、上記実施例の構成に限られることなく、発明の趣旨を変更しない範囲で種々の変形が可能である。例えば、１灯用、２×２灯用については、取付け枠内寸法が長い方向を基準方向として、それと直交する方向に灯具本体の取付け係合部を配置すればよい。また、上記では、突起部８４及び抜け止めバネ部８５から成る抜け止め部８６が、灯具本体５の取付け部８の外側片８２に設けられ、壁体７１の外側から凹部７４に係合される形態を示したが、抜け止め部８６が取付け部８の内側片８１に設けられていて、壁体７１の内側から凹部７４に係合される形態としてもよい。
【図面の簡単な説明】
【００２８】
【図１】（ａ）（ｂ）（ｃ）は本発明の実施形態による照明器具の全体構成を示す正面断面、側面断面図、及び平面図。
【図２】同照明器具の半裁断面図。
【図３】同照明器具における灯具本体単体の半裁断面図。
【図４】同照明器具における被取付け部Ａの斜視図。
【図５】同照明器具における灯具本体の取付け部の斜視図。
【図６】灯具本体の被取付け部への取付け状態を示す図。
【図７】従来の照明器具の半裁横断面図。
【図８】従来の他の照明器具の半裁横断面図。
【符号の説明】
【００２９】
Ａ  被取付け部
１  枠部材
５  灯具本体
５７  電源線
７  取付け枠
７１  壁体
７２  ガイド壁
７３  位置ずれ防止壁
７４  凹部
８  取付け部
８３  乗せ掛け部
８４  突起部
８５  抜け止めバネ部
８６  抜け止め部
【図１】
2006019107.tif 000003
【図２】
2006019107.tif 000004
【図３】
2006019107.tif 000005
【図４】
2006019107.tif 000006
【図５】
2006019107.tif 000007
【図６】
2006019107.tif 000008
【図７】
2006019107.tif 000009
【図８】
2006019107.tif 000010